(57)【要約】【課題】ベッドや壁に対する傷付き抑制および軽量化できる寝具用吸込口体を提供すること。【解決手段】吸込口を底面に有する左右方向に長い筐体と、前記筐体の左右方向に長い前端部に沿って取り付けられたバンパーとを有し、  前記バンパーが、前記筐体に固定される固定部と、前記固定部の下端部から前方に突出しかつ上方へ折り返された折り返し部とを有することを特徴とする電気掃除機の寝具用吸込口体。【選択図】図７
2018140003.tif 000002
【特許請求の範囲】
【請求項１】
吸込口を底面に有する左右方向に長い筐体と、前記筐体の左右方向に長い前端部に沿って取り付けられたバンパーとを有し、
前記バンパーが、前記筐体に固定される固定部と、前記固定部の下端部から前方に突出しかつ上方へ折り返された折り返し部とを有することを特徴とする電気掃除機の寝具用吸込口体。
【請求項２】
前記折り返し部は、横断面Ｕ形またはＪ形に形成されている請求項１に記載の寝具用吸込口体。
【請求項３】
前記バンパーは、前記折り返し部の下面に前後方向または前後方向に対して斜め方向に延びる複数の溝部を有する請求項１または２に記載の寝具用吸込口体。
【請求項４】
前記筐体内における前記吸込口に左右軸心廻りに回転可能に設けられた回転体と、前記筐体内に設けられて前記回転体を回転させる回転体駆動部と、前記筐体の前記底面付近に設けられた前記回転体駆動部を制御する安全スイッチとをさらに備え、
前記安全スイッチは、前記筐体に左右軸心廻りに揺動可能に枢着された基端部を有する揺動片と、前記揺動片の先端部に左右軸心廻りに回転可能に設けられた車輪と、前記揺動片の揺動状態を検知して前記回転体駆動部を駆動状態または停止状態に切り替える揺動検知部とを有し、
前記車輪が前記底面から下方外部へ突出したときの最大突出寸法が１０〜５０ｍｍの範囲に設定された請求項１〜３のいずれか１つに記載の寝具用吸込口体。
【請求項５】
前記安全スイッチの前記車輪の外径が１０〜４０ｍｍの範囲に設定されている請求項４に記載の寝具用吸込口体。
【発明の詳細な説明】
【技術分野】
【０００１】
本発明は、電気掃除機の寝具用吸込口体に関する。
【背景技術】
【０００２】
特許文献１には、電動送風機および集塵部を有する掃除機本体に、ホース、手元操作部および接続管を介して床用吸込口体と寝具用吸込口体が交換可能に接続される電気掃除機が開示されている。
特許文献１における寝具用吸込口体は、左右一対の車輪を有する筐体と、筐体の底面側に設けられて被掃除面（例えば布団）に作用する振動部材と、筐体内に設けられて振動部材を駆動する電気駆動手段とを備えている。振動部材は、被掃除面に対向する振動部材の底面に複数の吸引口を有している。この電気掃除機によれば、振動する振動部材を被掃除面に押し当ててゴミや塵埃を被掃除面から叩き出し吸引口から吸い取って掃除機本体の集塵部に回収することができる。
【０００３】
また、特許文献２には、毛布や絨毯等の毛足の長い被掃除面に対して吸込口体（床用ツール）が後方へ移動する際に、被掃除面と接触する吸込口体の後端部が被掃除面に引っ掛かってジャンプする「スキップ」と呼ばれる動作を抑制した吸込口体を備えた電気掃除機が開示されている。
この電気掃除機の吸込口体は、被掃除面と接触する底面を構成するソールプレートを有し、ソールプレートの前端部および後端部が上方へ湾曲して反り返った前側エッジおよび後側エッジとなっている。
【先行技術文献】
【特許文献】
【０００４】
【特許文献１】特開２０１０−２２７６３６号公報
【特許文献２】特開２０１０−２０１１７０号公報
【発明の概要】
【発明が解決しようとする課題】
【０００５】
特許文献１における寝具用吸込口体の場合、左右一対の車輪が筐体の前端面よりも前方へ突出しているため、例えば、ベッド上を清掃すると、ベッドのヘッドボードに一対の車輪が当たって傷を付けるおそれがある。また、ベッドが壁際に設置されていると一対の車輪によって壁を傷つけるおそれもある。
【０００６】
また、特許文献１における寝具用吸込口体の場合、左右一対の車輪が振動部材よりも被掃除面側に突出していることは、振動部材の被掃除面への吸い付きを抑制して被掃除面に対する寝具用吸込口体の前後移動をスムーズに行うのに有効であるが、左右一対の車輪は大きいため電気掃除機全体の重量が増加し、清掃時に使用者の腕が疲れやすくなる。
【０００７】
また、特許文献２における吸込口体は、ソールプレートの前端部に反り返った前側エッジを有するが、前側エッジはベッド上を清掃するときに生じるヘッドボードや壁への衝突による傷付きを抑制するバンパーとしての機能を有していない。また、吸込口体の筐体の底面に大きなソールプレートが設けられることで重量増加にもなっていた。
【０００８】
本発明は、このような課題に鑑みなされたものであり、ベッドや壁に対する傷付き抑制および軽量化できる寝具用吸込口体を提供することを目的とする。
【課題を解決するための手段】
【０００９】
かくして、本発明によれば、吸込口を底面に有する左右方向に長い筐体と、前記筐体の左右方向に長い前端部に沿って取り付けられたバンパーとを有し、
前記バンパーが、前記筐体に固定される固定部と、前記固定部の下端部から前方に突出しかつ上方へ折り返された折り返し部とを有する電気掃除機の寝具用吸込口体が提供される。
【発明の効果】
【００１０】
本発明によれば、寝具用吸込口体にてベッド上を清掃する際、バンパーの先端部が上方へ折り返されているため、ベッドのヘッドボードあるいは壁等にバンパーが接触したとしても、それらにはバンパーの先端部が面接触する。それに加え、横断面Ｕ形またはＪ形に形成されたバンパーは面接触時に弾性変形して衝撃を緩和することができるため、ベッドのヘッドボードあるいは壁等への傷付きを抑制することができる。
また、本発明の寝具用吸込口体は、従来のように寝具上（例えば、布団上）でスムーズな往復移動を実現させるために設けられる左右一対の車輪やソールプレートを有さないため軽量化できる。
【図面の簡単な説明】
【００１１】
【図１】本発明の寝具用吸込口体の実施形態１およびそれに接続される掃除機本体を示す斜視図である。
【図２】実施形態１の寝具用吸込口体の平面図である。
【図３】実施形態１の寝具用吸込口体の正面図である。
【図４】実施形態１の寝具用吸込口体の底面図である。
【図５】実施形態１の寝具用吸込口体の右側面図である。
【図６】実施形態１の寝具用吸込口体の左側面図である。
【図７】実施形態１の寝具用吸込口体の左側断面図である。
【図８】実施形態１の寝具用吸込口体におけるバンパーおよびその取り付け箇所を示す斜視図である。
【図９】実施形態１の寝具用吸込口体における吸込口本体の左側断面図であって（Ａ）は安全スイッチＯＦＦ状態、（Ｂ）は安全スイッチＯＮ状態を示す。
【図１０】実施形態１の寝具用吸込口体における安全スイッチのスイッチ部を示す説明図である。
【図１１】実施形態１の寝具用吸込口体であって（Ａ）はベッド清掃時、（Ｂ）は布団清掃時、（Ｃ）は安全スイッチＯＮ状態を示す。
【図１２】実施形態２の寝具用吸込口体の底面図である。
【図１３】実施形態３の寝具用吸込口体の底面図である。
【発明を実施するための形態】
【００１２】
（実施形態１）
図１は本発明の寝具用吸込口体の実施形態１およびそれに接続される掃除機本体を示す斜視図である。
実施形態１の寝具用吸込口体２０は、例えば、ハンドル１０ａを有する掃除機本体１０に接続され、ハンディタイプの寝具用電気掃除機として使用することができる。
【００１３】
＜掃除機本体＞
図１に示すように、掃除機本体１０は、電動送風機およびバッテリーを内蔵する駆動装置１１と、駆動装置１１に着脱可能に装着されるサイクロン方式のダストカップユニット１２とを備え、駆動装置１１の先端部に設けられた吸気口１１ａに寝具用吸込口体２０の接続パイプ部２２が接続される。
また、駆動装置１１の後部にはハンドル１０ａが設けられ、このハンドル１０ａに電動送風機のＯＮとＯＦＦを切り替えるスイッチおよびパワー切り替えスイッチを有する操作部１１ｂが設けられている。
【００１４】
また、図示省略するが、駆動装置１１の吸気口１１ａの周辺下部には、寝具用吸込口体２０の接続パイプ部２２の後述する一対のピン形端子部２２ｃ（図４参照）が差し込まれる一対の凹形端子部が設けられており、一対のピン形端子部２２ｃと一対の凹形端子部との電気的接続により、駆動装置１１内のバッテリーからの電力が寝具用吸込口体２０内の後述するモータ２１ｄ1に供給可能となり、それによって回転体２１ｃが回転可能となる。
【００１５】
＜寝具用吸込口体＞
図２は実施形態１の寝具用吸込口体の平面図であり、図３は実施形態１の寝具用吸込口体の正面図であり、図４は実施形態１の寝具用吸込口体の底面図である。また、図５は実施形態１の寝具用吸込口体の右側面図であり、図６は実施形態１の寝具用吸込口体の左側面図であり、図７は実施形態１の寝具用吸込口体の左側断面図である。また、図８は実施形態１の寝具用吸込口体におけるバンパーおよびその取り付け箇所を示す斜視図であり、図９は実施形態１の寝具用吸込口体における吸込口本体の左側断面図であって（Ａ）は安全スイッチＯＦＦ状態、（Ｂ）は安全スイッチＯＮ状態を示す。また、図１０は実施形態１の寝具用吸込口体における安全スイッチのスイッチ部を示す説明図である。
【００１６】
図２〜８に示すように、寝具用吸込口体２０は、左右方向に長い吸込口本体２１と、吸込口体２１と掃除機本体１０とを接続する接続パイプ部２２とを有する。
吸込口本体２１は、底面に左右方向に長い吸込口２１ａｗを有する筐体２１ａと、筐体２１ａの左右方向に長い前端部に沿って取り付けられたバンパー２１ｂと、筐体２１ａ内における吸込口２１ａｗに左右軸心Ｐ1廻りに回転可能に設けられた回転体２１ｃと、筐体２１ａ内に設けられて回転体２１ｃを回転させる回転体駆動部２１ｄと、筐体２１ａの底面付近に設けられた回転体駆動部２１ｄを制御する安全スイッチ２１ｅと、筐体２１ａの後部に左右軸心Ｐ2廻りに回転可能に設けられた後部ローラ２１ｆとを備える。
【００１７】
筐体２１ａは、吸込口本体２１の大部分を構成するベース部２１ａ1と、接続パイプ部２２の基端部２２ａを覆う第１カバー部２１ａ2と、ベース部２１ａ1の後部および第１カバー部２１ａ2の一部を覆う第２カバー部２１ａ3と、ベース部２１ａ1の左側底面に着脱可能に取り付けられるロックカバー部２１ａ4と、ベース部２１ａ1の左側底面に設けられてロックカバー部２１ａ4のベース部２１ａ1への取り付け状態を解除可能にロックするロック部２１ａ111とを有してなる。
【００１８】
ベース部２１ａ1は、回転体２１ｃを上方から覆う下方開口状の前半部２１ａ11と、回転体駆動部２１ｄ、安全スイッチ２１ｅおよび接続パイプ部２２の基端部を収納する上方開口状の後半部２１ａ12とを有する。
【００１９】
ベース部２１ａ1の後半部２１ａ12は、接続パイプ部２２の基端部２２ａを左右軸心Ｐ2廻りに揺動可能に受ける球面状凹部２１ａ121を左右中間部に有し（図７参照）、回転体駆動部２１ｄの後述するモータ２１ｄ1を受けるリブ２１ａ122を左側スペースに有し（図２参照）、安全スイッチ２１ｅの後述する揺動片２１ｅ1および車輪２１ｅ2をベース部２１ａ1内から下方外部へ出し入れするための開口部２１ａ123を右側スペースに有している（図１０参照）。
【００２０】
また、ベース部２１ａ1の後半部２１ａ12における左右中間部は後方へ突出しており、この部分の上面側に前記球面状凹部２１ａ121が形成されると共に、下面側に左右軸心廻りに回転可能に後部ローラ２１ｆが取り付けられている。
【００２１】
第１カバー部２１ａ2は、ベース部２１ａ1の左右中間位置を覆うことにより、ベース部２１ａ1と協働して吸込口２１ａｗと接続パイプ部２２とを連通させる風路形成部を有すると共に、接続パイプ部２２の基端部２２ａの凸形球面部と摺接可能な凹形球面部を有している。
第２カバー部２１ａ3は、第１カバー部２１ａ2の風路形成部を含むベース部２１ａ1の後半部２１ａ12を覆い、複数のネジにてベース部２１ａ1と結合される。
【００２２】
ロックカバー部２１ａ4は、複数枚のブレードを有する回転体２１ｃの左側軸部をベース部２１ａ1の前半部２１ａ11に回転可能に支持する部材であり、ロック部２１ａ111を解除することによりベース部２１ａ1から取り外され、それによって回転体２１ｃをベース部２１ａ1から取り外すことができる。
【００２３】
回転体駆動部２１ｄは、ベース部２１ａ1の後半部２１ａ12に収納されるモータ２１ｄ1と、モータ２１ｄ1の出力軸および回転体２１ｃの左側軸部に固定された一対のプーリ２１ｄ2、２１ｄ3と、一対のプーリ２１ｄ2、２１ｄ3に張架されたベルト２１ｄ4とを有する。
このように構成された回転体駆動部２１ｄによれば、モータ２１ｄ1の出力軸の回転力は、プーリ２１ｄ2、ベルト２１ｄ4およびプーリ２１ｄ3を介して回転体２１ｃに伝達され、回転体２１ｃが回転する。
【００２４】
図８〜１０に示すように、安全スイッチ２１ｅは、筐体２１ａのベース部２１ａ1の後半部２１ａ12の右側スペースに左右軸心Ｐ3廻りに揺動可能に枢着された基端部２１ｅ11を有する揺動片２１ｅ1と、揺動片２１ｅ1の先端部２１ｅ12に左右軸心Ｐ4廻りに回転可能に設けられた車輪２１ｅ2と、揺動片２１ｅ1の揺動状態を検知して回転体駆動部２１ｄ（図２参照）を駆動状態または停止状態に切り替える揺動検知部２１ｅ3とを有する。
【００２５】
揺動片２１ｅ1は、その基端部２１ｅ11の端縁の一部に切欠き凹部が形成されており、この切欠き凹部によって対向する第１段部２１ｅ111および第２段部２１ｅ112が形成されている。
一方、揺動片２１ｅ1の基端部２１ｅ11を枢支する筐体２１ａの一部には揺動片２１ｅ1の第１段部２１ｅ111と第２段部２１ｅ112との間に突出するストッパ凸部２１ａ124が設けられており、このストッパ凸部２１ａ124に第１段部２１ｅ111と第２段部２１ｅ112が当接することにより揺動片２１ｅ1の揺動範囲が規制されている。
【００２６】
すなわち、図９（Ａ）に示すように、揺動片２１ｅ1の第１段部２１ｅ111がストッパ凸部２１ａ124に当接した状態においては、揺動片２１ｅ1が筐体２１ａ内に収納され、筐体２１ａの底面２１ａｘからの車輪２１ｅ2の突出が最小突出寸法Ｘ1になっている。
【００２７】
また、図９（Ｂ）に示すように、自重により下方へ揺動した揺動片２１ｅ1の第２段部２１ｅ112がストッパ凸部２１ａ124に当接した状態においては、揺動片２１ｅ1が筐体２１ａから下方外部に突出し、筐体２１ａの底面２１ａｘからの車輪２１ｅ2の突出が最大突出寸法Ｘ2になっている。
【００２８】
揺動片２１ｅ1の揺動範囲は、筐体２１ａの底面２１ａｘに対する車輪２１ｅ2の突出が最小突出寸法Ｘ1〜最大突出寸法Ｘ2の範囲となるように設定されており、具体的には、最小突出寸法Ｘ1は１〜１０ｍｍの範囲に設定され、最大突出寸法Ｘ2は１０〜５０ｍｍの範囲に設定されている。
また、安全スイッチ２１ｅの車輪２１ｅ2の外径Ｄ1は１０〜４０ｍｍの範囲に設定されている（図１０参照）。
【００２９】
揺動検知部２１ｅ3は、筐体２１ａの底面２１ａｘからの車輪２１ｅ2の突出が最大突出寸法Ｘ2になった状態またはその直前の状態のときの揺動片２１ｅ1の揺動状態を検知する。
実施形態１の場合、揺動検知部２１ｅ3は、回転体駆動部２１ｄのモータ２１ｄ1を駆動状態または停止状態に切り替える押しボタン式のスイッチ部２１ｅ31であり、車輪２１ｅ2の突出が最大突出寸法Ｘ2になるときの揺動片２１ｅ1がスイッチ部２１ｅ31のボタン２１ｅ311を押すように、筐体２１ａの底面２１ａｘ側に固定されている。
【００３０】
この揺動検知部２１ｅ3によれば、スイッチ部２１ｅ31のボタン２１ｅ311が押されると、回転体駆動部２１ｄのモータ２１ｄ1が駆動状態から停止状態に切り替わり、それによって回転体２１ｃの回転が停止する（図２参照）。
【００３１】
ところで、フローリング、絨毯、畳等の床面上を清掃する一般的な床面用吸込口体（例えば、特開２０１３−６３１１４参照）に設けられた安全スイッチの場合、布団のように床面が大きく沈み込むことがないため、安全スイッチの車輪の最大突出寸法を５ｍｍ程度に小さく抑えることができる。
【００３２】
これに対し、本発明の寝具用吸込口体２０の場合、羽毛布団のような空気を多く含んだ柔らかい布団上を寝具用吸込口体２０にて清掃する際、床面用吸込口体と同様に安全スイッチ２１ｅの車輪２１ｅ2の最大突出寸法を小さく設定すると、柔らかい布団に車輪２１ｅ2が少し沈み込んでも回転体駆動部２１ｄのモータ２１ｄ1を駆動状態から停止状態に切り替えてしまう誤作動が発生するおそれがある。
【００３３】
そのため、本発明では、柔らかい布団上を寝具用吸込口体２０にて清掃する際に、柔らかい布団に車輪２１ｅ2がある程度大きく沈み込んでも回転体駆動部２１ｄのモータ２１ｄ1を駆動状態から停止状態に切り替えないように、筐体２１ａの底面２１ａｘに対する車輪２１ｅ2の突出が最大突出寸法Ｘ2１０〜５０ｍｍの範囲に設定されている。また、車輪２１ｅ2の外径Ｄ1を１０〜４０ｍｍの範囲に設定することにより、柔らかく凹凸が大きい布団上でも車輪２１ｅ2として機能することができ、寝具用吸込口体２０のスムーズな前後移動を実現できる。
【００３４】
図３、４、６および７に示すように、寝具用吸込口体２０の接続パイプ部２２は、吸込口本体２１のベース部２１ａ1の球面状凹部２１ａ121および第１カバー部２１ａ2の凹形球面部の間のスペースに嵌り込んで左右軸心Ｐ2廻りに揺動可能な基端部２２ａと、係合凹部２２ｂ1を外周面に有する先端部２２ｂと、係合凹部２２ｂ1の方へ突出するように長手方向中間部付近に設けられた前記一対のピン形端子部２２ｃとを有する。
【００３５】
一対のピン形端子部２２ｃは、導電ケーブル、安全スイッチ２１ｅ等を介して吸込口本体２１内のモータ２１ｄ1と電気的に接続されている。
また、係合凹部２２ｂ1は、接続パイプ部２２が掃除機本体１０の吸気口１１ａに接続された際に、掃除機本体１０の吸気口１１ａの周辺下部に設けられた図示しないロック部の係合爪と係脱可能に係合する。この際、一対のピン形端子部２２ｃが、掃除機本体１０の前記一対の凹形端子部内に挿入されて電気的に接続する。
【００３６】
図１〜９に示すように、バンパー２１ｂは、吸込口本体２１の筐体２１ａのベース部２１ａ1の前端部に固定されるブレード状の固定部２１ｂ1と、固定部２１ｂ1の下端部から前方に突出しかつ上方へ折り返された折り返し部２１ｂ2とを有する横断面Ｕ形またはＪ形に形成されている。
実施形態１の場合、バンパー２１ｂは、固定部２１ｂ1の長手方向両端部から後方へ延びた一対の円弧部２１ｂ3をさらに備えている。
【００３７】
また、図８に示すように、吸込口本体２１の筐体２１ａのベース部２１ａ1の前端部には複数の切り込み２１ａｙが設けられると共に、バンパー２１ｂの固定部２１ｂ1の後面には図示しない複数のリブが設けられており、各リブが各切り込み２１ａｙに差し込まれてバンパー２１ｂの固定部２１ｂ1が筐体２１ａの前端部に固定される。
【００３８】
さらに、筐体２１ａの左右側面には複数の凹部２１ａｚが円弧状に配列すると共に、バンパー２１ｂの左右一対の円弧部２１ｂ3の内面には複数の凸部２１ｂ31が設けられており、各凸部２１ｂ31が各凹部２１ａｚに嵌り込まれてバンパー２１ｂの一対の円弧部２１ｂ3が筐体２１ａの左右側面に固定される。
【００３９】
また、図４に示すように、バンパー２１ｂ1において、折り返し部２１ｂ2の下面には前後方向に延びる複数の溝部２１ｂ21が形成されている。
バンパー２１ｂの複数の溝部２１ｂ21は、寝具用吸込口体２０を寝具上（例えば、布団上）で前後移動させて清掃する際の空気の通り道となり、吸引によるバンパー２１ｂ下面への寝具の吸い付き（密着）および寝具の吸込口２１ａｗへの吸い込みを抑制してスムーズに寝具用吸込口体２０を前後移動させる。
【００４０】
このように構成されたバンパー２１ｂは、例えば、高密度ポリエチレン、エラストマー等にて形成される。
一方、吸込口本体２１の筐体２１ａは、例えば、ＡＢＳ、ＰＣ等にて形成される。
【００４１】
＜寝具用吸込口体の動作＞
図１に示した掃除機本体１０に寝具用吸込口体２０を接続し、掃除機本体１０の操作部１１ｂの電源スイッチをＯＮ状態とすることにより電動送風機が駆動し、寝具用吸込口体２０を被清掃面である寝具（例えば、布団、毛布等）上に置くことにより安全スイッチ２１ｅがＯＦＦ状態（図９（Ａ）参照）となって回転体２１ｃが回転する。これにより、被清掃面上のゴミや体毛や塵埃等が寝具用吸込口体２０の吸込口２１ａｗから吸い込まれて掃除機本体１０のダストカップユニット１２内に集められる。
【００４２】
図１１は実施形態１の寝具用吸込口体であって（Ａ）はベッド清掃時、（Ｂ）は布団清掃時、（Ｃ）は安全スイッチＯＮ状態を示す。
本発明の寝具用吸込口体２０によれば、図１１（Ａ）に示すように、吸込口２１ａｗをベッドＢの隅まで接近させて清掃することができる。この際、ベッドＢのヘッドボードＢａや壁にバンパー２１ｂが衝突したとしても、バンパー２１ｂが弾性変形することによりヘッドボードＢａや壁の傷付きが防止される。
【００４３】
また、図１１（Ｂ）に示すように、羽毛布団のような空気を多く含む柔らかい布団Ｆ上で寝具用吸込口体２０を前後方向に移動させて清掃する場合、安全スイッチ２１ｅの車輪２１ｅ2が布団Ｆにある程度大きく沈み込んだとしても、車輪２１ｅ2の突出が最大突出寸法Ｘ2（図９（Ｂ））まで達しないため、揺動検知部２１ｅ3であるスイッチ部２１ｅ31のボタン２１ｅ311が揺動片２１ｅ1にて押されていないＯＦＦ状態のままであり、回転体２１ｃの回転が停止することはない（図１０参照）。
【００４４】
この際、後部ローラ２１ｆの外径Ｄ2は、１０〜５０ｍｍの範囲に設定されてもよく、これにより、柔らかく凹凸が大きい布団Ｆ上でも後部ローラ２１ｆとして機能することができ、寝具用吸込口体２０のスムーズな前後移動を実現できる。
【００４５】
図１１（Ｃ）に示すように、寝具用吸込口体２０を布団Ｆから浮き上がらせると、安全スイッチ２１ｅの車輪２１ｅ2が最大突出寸法Ｘ2（図９（Ｂ））まで達するため、揺動検知部２１ｅ3であるスイッチ部２１ｅ31のボタン２１ｅ311が揺動片２１ｅ1にて押されたＯＮ状態となり、回転体２１ｃの回転が停止する。
【００４６】
（実施形態２）
図１２は実施形態２の寝具用吸込口体の底面図である。なお、図１２において、図４中の要素と同様の要素には同一の符号を付している。
実施形態２の寝具用吸込口体１２０は、バンパー１２１ｂの構成が実施形態１とは異なる以外は、実施形態１と同様である。以下、実施形態２における実施形態１とは異なる点を主に説明する。
【００４７】
実施形態２におけるバンパー１２１ｂは、実施形態１におけるバンパー１２ｂと同様の基本構成を備えるが、下面に形成された複数の溝部１２１ｂ21は前後方向に対して斜め方向に延びている。
具体的に実施形態２の場合、各溝部１２１ｂ21は前方から後方へ向かうにつれて右から左へ傾いている。
【００４８】
このように各溝部１２１ｂ21を斜めにすることにより、寝具とバンパー１２１ｂの下面との密着箇所に溝部１２１ｂ21が移動してくるため、バンパー１２１ｂの下面への寝具の吸い付き抑制効果が向上する。
【００４９】
（実施形態３）
図１３は実施形態３の寝具用吸込口体の底面図である。なお、図１３において、図４中の要素と同様の要素には同一の符号を付している。
実施形態３の寝具用吸込口体２２０も、バンパー２２１ｂの構成が実施形態１とは異なる以外は、実施形態１と同様である。以下、実施形態３における実施形態１とは異なる点を主に説明する。
【００５０】
実施形態３におけるバンパー２２１ｂも、実施形態１におけるバンパー１２ｂと同様の基本構成を備えるが、下面に形成された複数の溝部２２１ｂ21は前後方向に対して斜め方向に延びており、かつ右側の溝部２２１ｂ21の方向と左側の溝部２２１ｂ21の方向が逆向きとなっている。
具体的に実施形態３の場合、右側の各溝部２２１ｂ21は前方から後方へ向かうにつれて右から左へ傾き、左側の各溝部２２１ｂ21は前方から後方へ向かうにつれて左から右へ傾いている。
【００５１】
このように各溝部２２１ｂ21を斜めにすることにより、実施形態２と同様に、寝具とバンパー２２１ｂの下面との密着箇所に溝部２２１ｂ21が移動してくるため、バンパー１２１ｂの下面への寝具の吸い付き抑制効果が向上する。それに加え、左右の溝部２２１ｂ２１が吸込口２１ａｗの左右中間位置へ向かって傾いているため、実施形態２と比較すると、左側の溝部２２１ｂ21への空気の流れがスムーズになる。
【００５２】
（他の実施形態）
１．実施形態１では、安全スイッチが押しボタン式のスイッチ部の場合を例示したが、安全スイッチとしては、例えば、磁気的または光学的な近接センサを用いてもよい。
２．実施形態１ではハンディタイプの掃除機本体１０に寝具用吸込口体２０を接続して使用する場合を例示したが、キャニスター型の掃除機本体に可撓性ホース、手元操作部および延長パイプを介して寝具用吸込口体を接続して使用してもよい。
【００５３】
（まとめ）
本発明の電気掃除機の寝具用吸込口体は、吸込口を底面に有する左右方向に長い筐体と、前記筐体の左右方向に長い前端部に沿って取り付けられたバンパーとを有し、
前記バンパーが、前記筐体に固定される固定部と、前記固定部の下端部から前方に突出しかつ上方へ折り返された折り返し部とを有する。
【００５４】
本発明の電気掃除機の寝具用吸込口体は、次のように構成されてもよく、それらが適宜組み合わされてもよい。
（１）前記折り返し部は、横断面Ｕ形またはＪ形に形成されてもよい。
この構成によれば、折り返し部の下端面が丸みを有する湾曲形状に形成されるため、折り返し部に摺接する寝具を痛めることがないことに加え、湾曲した下端部の弾性変形時の応力集中を抑制して耐久性を高めることができる。
【００５５】
（２）前記バンパーは、前記折り返し部の下面に前後方向または前後方向に対して斜め方向に延びる複数の溝部を有してもよい。
この構成によれば、寝具用吸込口体を寝具上（例えば、布団上）で前後移動させて清掃する際にバンパーの複数の溝部を空気が通るため、吸引によるバンパー下面への寝具の吸い付き（密着）および寝具の吸込口１１ａへの吸い込みを抑制してスムーズに寝具用吸込口体を前後移動させることができる。特に、複数の溝部が前後方向に対して斜め方向に延びていると、寝具とバンパー下面との密着箇所に溝部が移動してくるため、バンパー下面への寝具の吸い付きを抑制するのに効果的である。
【００５６】
（３）前記筐体内における前記吸込口に左右軸心廻りに回転可能に設けられた回転体と、前記筐体内に設けられて前記回転体を回転させる回転体駆動部と、前記筐体の前記底面付近に設けられた前記回転体駆動部を制御する安全スイッチとをさらに備え、
前記安全スイッチは、前記筐体に左右軸心廻りに揺動可能に枢着された基端部を有する揺動片と、前記揺動片の先端部に左右軸心廻りに回転可能に設けられた車輪と、前記揺動片の揺動状態を検知して前記回転体駆動部を駆動状態または停止状態に切り替える揺動検知部とを有し、
前記車輪が前記底面から下方外部へ突出したときの最大突出寸法が１０〜５０ｍｍの範囲に設定されてもよい。
この構成の安全スイッチは、フローリング、絨毯、畳等の床面上を清掃する床面用吸込口体に設けられた安全スイッチよりも大きなストロークで回転体駆動部のＯＮとＯＦＦを切り替えることができる。すなわち、この構成によれば、羽毛布団のような空気を多く含んだ柔らかい布団上を寝具用吸込口体にて清掃する際、柔らかい布団に安全スイッチの車輪が大きく沈み込んで回転体駆動部を駆動状態から停止状態に切り替えてしまう、という誤作動を抑制することができる。
【００５７】
（４）前記安全スイッチの前記車輪の外径が１０〜４０ｍｍの範囲に設定されてもよい。
この構成の安全スイッチの車輪は、床面用吸込口体の安全スイッチの車輪の外径よりも大きい外径に設定されているため、柔らかく凹凸が大きい布団上でも車輪として機能することができ、寝具用吸込口体のスムーズな前後移動を実現できる。
【００５８】
（５）前記筐体の後部に左右軸心廻りに回転可能に設けられた後部ローラをさらに備え、
前記後部ローラの外径が１０〜５０ｍｍの範囲に設定されてもよい。
この構成の後部ローラは、床面用吸込口体の後部ローラの外径よりも大きい外径に設定されているため、柔らかく凹凸が大きい布団上でも後部ローラとして機能することができ、寝具用吸込口体のスムーズな前後移動を実現できる。
【００５９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６０】
２０、１２０、２２０  寝具用吸込口体
２１ａ  筐体
２１ａｗ  吸込口
２１ａｘ  底面
２１ｂ、１２１ｂ、２１２ｂ  バンパー
２１ｂ1  固定部
２１ｂ2  折り返し部
２１ｂ21、１２１ｂ21、２２１ｂ21  溝部
２１ｃ  回転体
２１ｄ  回転体駆動部
２１ｅ  安全スイッチ
２１ｅ1  揺動片
２１ｅ11  基端部
２１ｅ12  先端部
２１ｅ2  車輪
２１ｅ3  揺動検知部
２１ｆ  後部ローラ
Ｄ1、Ｄ2  外径
Ｐ1、Ｐ2、Ｐ3、Ｐ4  軸心
Ｘ2  最大突出寸法
【図１】
2018140003.tif 000003
【図２】
2018140003.tif 000004
【図３】
2018140003.tif 000005
【図４】
2018140003.tif 000006
【図５】
2018140003.tif 000007
【図６】
2018140003.tif 000008
【図７】
2018140003.tif 000009
【図８】
2018140003.tif 000010
【図９】
2018140003.tif 000011
【図１０】
2018140003.tif 000012
【図１１】
2018140003.tif 000013
【図１２】
2018140003.tif 000014
【図１３】
2018140003.tif 000015